(57)【要約】【課題】簡単な構成で、接続も容易に可能であるとともに、不用意には外れないコネクタを提供する。【解決手段】電気的に着脱自在に設けられたプラグ１２とソケット１３から成り、各々合成樹脂で成型され内部に接点を有したプラグハウジング１５とソケットハウジング１８を有する。プラグハウジング１５とソケットハウジング１８の一方の側面に設けられた被係合部１７と、他方の側面に設けられ被係合部１７に係合する係止突起１９を備える。被係合部１７の周辺には、被係合部１７に係合した状態で外部に露出した係止突起１９の係止部１９ａを覆う覆い部２０を備える。覆い部２０には、係止突起１９が被係合部１７に係合した状態で、係止部１９ａが見える開口部２０ａを備える。【選択図】図１
2008311196.tif 000002
【特許請求の範囲】
【請求項１】
電気的に着脱自在に設けられたプラグとソケットから成り、各々合成樹脂で成型され内部に接点を有したプラグハウジングとソケットハウジングを備え、前記プラグハウジングとソケットハウジングの一方の側面に設けられた被係合部と、他方の側面に設けられ前記被係合部に係合する係止突起を備え、前記被係合部の周辺には、前記被係合部に係合した状態で外部に露出した前記係止突起の係止部を覆う覆い部が設けられていることを特徴とするコネクタ。
【請求項２】
前記覆い部には、前記係止突起が前記被係合部に係合した状態で、前記係止部が見える開口部を備えたことを特徴とする請求項１記載のコネクタ。
【請求項３】
前記プラグとソケットは、太陽電池用の電力ケーブルを繋ぐもので、接続状態で接点が防水構造に形成されていることを特徴とする請求項１または２記載のコネクタ。
【発明の詳細な説明】
【技術分野】
【０００１】
この発明は、太陽電池モジュール等の電力線や、その他電線の接続を行うコネクタに関する。
【背景技術】
【０００２】
従来、例えば太陽電池用の防水型中継コネクタ１は、特許文献１，２や図３、図４に示すように、プラグ２とソケット３から成り、各々電力線ケーブル４が接続されている。プラグ２は、円筒状のプラグハウジング５内にプラグピン６が突設され、ケーブル４の電線に接続されている。さらに、プラグハウジング５の側面には、互いに対称な位置に軸方向に貫通した被係合部７が設けられている。
【０００３】
ソケット３は、プラグ２内のプラグピン６が挿入され接続するコンタクトを内部に備えたソケットハウジング８が設けられ、コンタクトがソケット３側のケーブル４に接続されている。ソケットハウジング８の側面には、対称な位置に配置され、側面に沿って先端方向に延出した係止突起９が一体に形成されている。そして、係止突起９は、被係合部７に挿入され、係止突起９の先端部の係止部９ａが被係合部７の開口部側縁に係合して、容易に抜けないように係止される。また、ソケットハウジング８の基端部には、Ｏリング等のシール材１０が取り付けられ、プラグハウジングに水密状態で嵌合し、接点が位置する内部を防水状態にしている。
【特許文献１】特開２００１−２５７０２７号公報
【特許文献２】特開２００２−９３２６号公報
【発明の開示】
【発明が解決しようとする課題】
【０００４】
上記背景技術の場合、図４に示すようなプラグ２とソケット３が嵌合した状態でも、ソケットハウジング８の係止突起９の先端部の係止部９ａに対して、何らかの外力がかかり係合が外れたり、係止部９ａを挟むようにして手で持つことにより容易に係合が外れ、不用意にケーブル４の接続が外れてしまう場合があった。また、上記特許文献１，２に開示されたコネクタも同様の問題点がある。特に、ケーブル４に通電中にコネクタ１の接続が外れることは、接続された機器にとって好ましくないものであった。
【０００５】
この発明は、上記背景技術の問題点に鑑みてなされたものであり、簡単な構成で、接続も容易に可能であるとともに、不用意には外れないコネクタを提供することを目的とする。
【課題を解決するための手段】
【０００６】
本発明は、電気的に着脱自在に設けられたプラグとソケットから成り、各々合成樹脂で成型され内部に接点を有したプラグハウジングとソケットハウジングを備え、前記プラグハウジングとソケットハウジングの一方の側面に設けられた被係合部と、他方の側面に設けられ前記被係合部に係合する係止突起を備え、前記被係合部の周辺には、前記被係合部に係合した状態で外部に露出した前記係止突起の係止部を覆う覆い部が設けられているコネクタである。
【０００７】
前記覆い部には、前記係止突起が前記被係合部に係合した状態で、前記係止部が見える開口部を備えたものである。
【０００８】
前記プラグとソケットは、太陽電池用の電力ケーブルを繋ぐもので、接続状態で接点が防水構造に形成されている。
【発明の効果】
【０００９】
本発明のコネクタは、プラグとソケットを結合させた状態で容易に外れることがなく、電気的に安全である。また、係合を外す際には、治具等を用いることにより外すことができ、メンテナンス上も都合が良いものである。さらに、係止部を開口部から目視できるため、係合状態の確認を容易に行うことができる。
【発明を実施するための最良の形態】
【００１０】
以下、この発明の実施形態について図面に基づいて説明する。図１、図２は、この発明の一実施形態を示すもので、この実施形態のコネクタ１１は、合成樹脂で所定形状に成型され、例えば太陽電池用の電力ケーブルに接続された防水型中継コネクタである。このコネクタ１１は、プラグ１２とソケット１３から成り、各々電力ケーブル１４が接続されている。
【００１１】
プラグ１２は、円筒状のプラグハウジング１５内に、上記背景技術と同様の図示しないプラグピンが突設され、ケーブル１４の電線に接続されている。さらに、プラグハウジング１５の側面には、プラグハウジング１５と一体に成型され対称な位置に軸方向に貫通した筒状の被係合部１７が設けられている。
【００１２】
ソケット１３は、プラグ１２の図示しないプラグピンが挿入される図示しないコンタクトを内部に備えたソケットハウジング１８が設けられ、内部のコンタクトがプラグ１３側のケーブル１４に接続されている。
【００１３】
ソケットハウジング１８の側面には、対称な位置に配置され、側面に沿って先端方向に延出した係止突起１９が一体に形成されている。そして、図示するように、係止突起１９は、被係合部１７に挿入され、係止突起１９の先端部の係止部１９ａが被係合部１７の開口部側縁１７ａに係合して、引っ張り方向に対して容易に抜けないように係止される。また、ソケットハウジング１８の基端部には、プラグハウジング１５に嵌合した状態でプラグハウジング１５の内面に密接するＯリング等のシール材が取り付けられ、プラグハウジング１５に水密状態で嵌合し、接点が位置する内部を防水状態にしている。
【００１４】
プラグハウジング１５の被係合部１７の開口部周辺には、係止突起１９の係止部１９ａが嵌合した状態で、係止部１９ａを覆う覆い部２０が形成されている。覆い部２０は、係止部１９ａの外側方を覆い、その両側では係止部１９ａが露出するように開口部２０ａが形成されている。
【００１５】
プラグ１２とソケット１３の各ケーブル１４との連結部分には、カバー部材２２が嵌合され、側面を保護している。カバー部材２２は、プラグ１２とソケット１３の側面に形成された係止爪２３に、カバー部材２２の側面の開口部内縁２２ａが係合して固定される。
【００１６】
このコネクタ１１のプラグ１２とソケット１３の連結を解除するには、図示しない治具を用いて、覆い部２０の開口部２０ａから治具先端部を差し込んで、係止部１９ａを互いに近づくように押圧し、係止部１９ａと被係合部１７の開口部側縁１７ａとの係合を解除する。そして、プラグ１２とソケット１３を互いに引き離すように引っ張ることにより、係合が解除される。
【００１７】
この実施形態のコネクタ１１によれば、プラグ１２の被係合部１７にソケット１３の係止突起１９が係合した状態で、係止突起１９の係止部１９ａが覆い部２０に覆われ、外部の部材に接触しにくく、係止突起１９ａに力がかかることがない。しかも、覆い部２０には開口部２０ａが形成され、係合を外す際には、治具を用いることにより容易に外すことができ、接続を解除するメンテナンスに際しても好都合なものである。
【００１８】
なお、この発明のコネクタは、上記実施形態に限定されず、適宜の用途のプラグとソケットの連結に適用されるものである。被係合部と係止突起は、プラグハウジングとソケットハウジングに対して、上記実施形態とは逆に設けられていても良いものであり、一方の側面に設けられた被係合部と、他方の側面に設けられ前記被係合部に係合する係止突起を備えたものであれば良い。
【図面の簡単な説明】
【００１９】
【図１】この発明の一実施形態のコネクタの平面図である。
【図２】この発明の一実施形態のコネクタの正面図である。
【図３】従来のコネクタの連結解除状態の平面図である。
【図４】従来のコネクタの連結状態の正面図である。
【符号の説明】
【００２０】
１１  コネクタ
１２  プラグ
１３  ソケット
１４  ケーブル
１５  プラグハウジング
１７  被係合部
１７ａ  開口部側縁
１８  ソケットハウジング
１９  係止突起
１９ａ  係止部
２０  覆い部
２０ａ  開口部
【図１】
2008311196.tif 000003
【図２】
2008311196.tif 000004
【図３】
2008311196.tif 000005
【図４】
2008311196.tif 000006